(57)【特許請求の範囲】
【請求項１】
現像剤を収容する現像剤収容器と、
前記現像剤収容器に収容され、磁力によって保持される現像剤により、像保持体が保持する静電潜像を可視化する現像部材と、
前記現像剤収容器の外側に設けられ、前記現像部材が保持する現像剤を磁力によって剥離する剥離用磁石を具備する剥離部材と、
この剥離部材が現像剤を剥離する場合には、前記現像部材が保持する現像剤に前記剥離用磁石の磁力が作用するように前記剥離用磁石が前記現像部材に近づき、前記剥離部材が現像剤を剥離した後には、剥離した現像剤を前記現像部材から隔離するように前記剥離用磁石が前記現像部材から遠ざかるよう前記剥離用磁石の移動を制御する移動制御手段と、
を有し、
前記剥離部材と現像剤とを隔てる隔壁をさらに有し、
前記隔壁は、前記剥離用磁石が前記現像部材に近づいた位置から遠ざかるにつれて前記剥離用磁石に対する距離が大きくなる領域を含むように、前記現像剤収容器の一部として形成されてなり、
前記制御手段は、前記剥離部材が現像剤を剥離した後に、剥離した現像剤が前記隔壁に沿って移動するよう前記剥離用磁石の移動を制御する
現像器。
【請求項２】
前記現像剤収容器は、前記現像部材の前記像保持体に対向する部分が露出するように開口してなる請求項１記載の現像器。
【請求項３】
前記移動制御手段は、前記現像部材が静電潜像を可視化する場合には、前記現像部材が保持する現像剤に対して前記剥離用磁石の磁力の作用が低下する領域に前記剥離用磁石を退避させるよう制御する請求項１又は２記載の現像器。
【請求項４】
前記現像部材は、
軸方向に延びて現像剤を引き付ける磁極及び現像剤を反発させる磁極を外面に備えて固定された現像用磁石と、
この現像用磁石を内部に収容して回転し、該現像用磁石の磁力に応じて現像剤を周方向に搬送する円筒状部材と、
を有し、
前記剥離用磁石は、移動方向下流側から順に配列された現像剤を反発させる磁極と現像剤を引き付ける磁極との組み合わせを１組以上含み、該剥離用磁石と前記現像部材との間に位置する現像剤を前記移動制御手段の制御に応じて反発させた後に引き付けることにより、前記現像部材が保持する現像剤を剥離する請求項１乃至３いずれか記載の現像器。
【請求項５】
前記移動制御手段は、前記現像部材に対して略平行に設けられた回転軸を中心にして回転する方向に、前記剥離用磁石の移動を制御する請求項１乃至４いずれか記載の現像器。
【請求項６】
前記現像剤収容器から前記現像部材への現像剤の供給を遮断する遮断手段をさらに有し、
前記移動制御手段は、前記遮断手段が現像剤の供給を遮断した後に、前記現像部材が保持する現像剤に前記剥離用磁石の磁力が作用するように前記剥離用磁石の移動を制御する請求項１乃至５いずれか記載の現像器。
【請求項７】
現像剤を収容する現像剤収容器と、
前記現像剤収容器に収容され、磁力によって保持される現像剤により、像保持体が保持する静電潜像を可視化する現像部材と、
前記現像剤収容器の外側に設けられ、前記現像部材が保持する現像剤を磁力によって剥離する剥離用磁石を具備する剥離部材と、
この剥離部材が現像剤を剥離する場合には、前記現像部材が保持する現像剤に前記剥離用磁石の磁力が作用するように前記剥離用磁石が前記現像部材に近づき、前記剥離部材が現像剤を剥離した後には、剥離した現像剤を前記現像部材から隔離するように前記剥離用磁石が前記現像部材から遠ざかるよう前記剥離用磁石の移動を制御する移動制御手段と、
複数の前記現像剤収容器を配置し、複数の前記現像剤収容器を前記現像部材に対向する位置に移動させるよう回転する回転体と、
を有し、
前記剥離部材と現像剤とを隔てる隔壁をさらに有し、
前記隔壁は、前記剥離用磁石が前記現像部材に近づいた位置から遠ざかるにつれて前記剥離用磁石に対する距離が大きくなる領域を含むように、前記現像剤収容器の一部として形成されてなり、
前記制御手段は、前記剥離部材が現像剤を剥離した後に、剥離した現像剤が前記隔壁に沿って移動するよう前記剥離用磁石の移動を制御する
する現像装置。
【請求項８】
前記現像剤収容器は、前記現像部材の前記像保持体に対向する部分が露出するように開口してなる請求項７記載の現像装置。
【請求項９】
補正前の請求項１４に相当
前記移動制御手段は、前記現像部材が静電潜像を可視化する場合には、前記現像部材が保持する現像剤に対して前記剥離用磁石の磁力の作用が低下する領域に前記剥離用磁石を退避させるよう制御する請求項７又は８記載の現像装置。
【請求項１０】
前記現像部材は、
軸方向に延びて現像剤を引き付ける磁極及び現像剤を反発させる磁極を外面に備えて固定された現像用磁石と、
この現像用磁石を内部に収容して回転し、該現像用磁石の磁力に応じて現像剤を周方向に搬送する円筒状部材と、
を有し、
前記剥離用磁石は、移動方向下流側から順に配列された現像剤を反発させる磁極と現像剤を引き付ける磁極との組み合わせを１組以上含み、該剥離用磁石と前記現像部材との間に位置する現像剤を前記移動制御手段の制御に応じて反発させた後に引き付けることにより、前記現像部材が保持する現像剤を剥離する請求項７乃至９いずれか記載の現像装置。
【請求項１１】
前記移動制御手段は、前記現像部材に対して略平行に設けられた回転軸を中心にして回転する方向に、前記剥離用磁石の移動を制御する請求項７乃至１０いずれか記載の現像装置。
【請求項１２】
複数の前記現像剤収容器から前記現像部材への現像剤の供給を遮断する遮断手段をさらに有し、前記移動制御手段は、前記遮断手段が現像剤の供給を遮断した後に、前記現像部材が保持する現像剤に前記剥離用磁石の磁力が作用するように前記剥離用磁石の移動を制御する請求項７乃至１１いずれか記載の現像装置。
【請求項１３】
像保持体と、
現像剤を収容する現像剤収容器と、
前記像保持体が保持する静電潜像を、前記現像剤収容器に収容され、磁力によって保持される現像剤により可視化する現像部材と、
前記現像剤収容器の外側に設けられ、前記現像部材が保持する現像剤を磁力によって剥離する剥離用磁石を具備する剥離部材と、
この剥離部材が現像剤を剥離する場合には、前記現像部材が保持する現像剤に前記剥離用磁石の磁力が作用するように前記剥離用磁石が前記現像部材に近づき、前記剥離部材が現像剤を剥離した後には、剥離した現像剤を前記現像部材から隔離するように前記剥離用磁石が前記現像部材から遠ざかるよう前記剥離用磁石の移動を制御する移動制御手段と、
を有し、
前記剥離部材と現像剤とを隔てる隔壁をさらに有し、
前記隔壁は、前記剥離用磁石が前記現像部材に近づいた位置から遠ざかるにつれて前記剥離用磁石に対する距離が大きくなる領域を含むように、前記現像剤収容器の一部として形成されてなり、
前記制御手段は、前記剥離部材が現像剤を剥離した後に、剥離した現像剤が前記隔壁に沿って移動するよう前記剥離用磁石の移動を制御する
画像形成装置。
【請求項１４】
像保持体と、
現像剤を収容する現像剤収容器と、
前記像保持体が保持する静電潜像を、前記現像剤収容器に収容され、磁力によって保持される現像剤により可視化する現像部材と、
前記現像剤収容器の外側に設けられ、前記現像部材が保持する現像剤を磁力によって剥離する剥離用磁石を具備する剥離部材と、
この剥離部材が現像剤を剥離する場合には、前記現像部材が保持する現像剤に前記剥離用磁石の磁力が作用するように前記剥離用磁石が前記現像部材に近づき、前記剥離部材が現像剤を剥離した後には、剥離した現像剤を前記現像部材から隔離するように前記剥離用磁石が前記現像部材から遠ざかるよう前記剥離用磁石の移動を制御する移動制御手段と、
複数の前記現像剤収容器を配置し、複数の前記現像剤収容器を前記現像部材に対向する位置に移動させるよう回転する回転体と、
を有し、
前記剥離部材と現像剤とを隔てる隔壁をさらに有し、
前記隔壁は、前記剥離用磁石が前記現像部材に近づいた位置から遠ざかるにつれて前記剥離用磁石に対する距離が大きくなる領域を含むように、前記現像剤収容器の一部として形成されてなり、
前記制御手段は、前記剥離部材が現像剤を剥離した後に、剥離した現像剤が前記隔壁に沿って移動するよう前記剥離用磁石の移動を制御する
画像形成装置。
【発明の詳細な説明】
【技術分野】
【０００１】
本発明は、現像器、現像装置及び画像形成装置に関するものである。
【背景技術】
【０００２】
特許文献１は、スリーブ上の現像剤剥ぎ取り方式として、剤搬送案内剥離板を設け、剤搬送剥離を強化するために、剥離板直下に第２のマグネットローラーを配置し、この磁力も利用して現像剤搬送剥離の高速・完全化をはかる画像形成装置を開示する。特許文献２は、現像剤除去ローラの回転方向における現像剤の離脱位置から磁気吸着位置に達するまでの範囲内に、当該現像剤除去ローラの長手方向における周面一部と接触または近接する空間遮蔽部材を設けた現像装置を開示する。特許文献３は、現像時に位置する第１停止位置と非現像時に位置する第２停止位置との間を回転可能な１極以上の可動マグネットを内部に配置された固定スリーブと、現像位置側に配置された第１極と反現像装置側に配置された第２極とを備えた固定マグネットローラを内包する回転スリーブとを有し、現像時には可動マグネットが第１停止位置に退避して現像位置側へ現像剤の供給を可能とする現像装置を開示する。特許文献４は、現像剤収容タンクが複数の種類の現像剤を収容し、現像スリーブと搬送スリーブがそれぞれ１つずつ設けられた多色現像装置を開示する。特許文献５は、現像スリーブに対して配置した複数個の現像粉収納器と、各収納器内に収納された現像粉を各現像粉毎に選択的に現像スリーブへ供給するとともに、各現像粉収納容器の現像スリーブに対応する開口部を遮蔽する遮蔽板を具備する現像装置を開示する。
【０００３】
【特許文献１】特開２００４−２１９８１９号公報
【特許文献２】特開２００３−１６７４３５号公報
【特許文献３】特開２００１−０２２１８２号公報
【特許文献４】特開昭６１−０２０９６１号公報
【特許文献５】特開昭５４−１２４７３４号公報
【発明の開示】
【発明が解決しようとする課題】
【０００４】
本発明は、現像部材が保持する現像剤を剥離するにあたって、現像部材の剥離磁極位置に残存する現像剤を除去することができる現像器、現像装置及び画像形成装置を提供することを目的とする。
【課題を解決するための手段】
【０００５】
上記目的を達成するため、請求項１に係る本発明は、現像剤を収容する現像剤収容器と、前記現像剤収容器に収容され、磁力によって保持される現像剤により、像保持体が保持する静電潜像を可視化する現像部材と、前記現像剤収容器の外側に設けられ、前記現像部材が保持する現像剤を磁力によって剥離する剥離用磁石を具備する剥離部材と、この剥離部材が現像剤を剥離する場合には、前記現像部材が保持する現像剤に前記剥離用磁石の磁力が作用するように前記剥離用磁石が前記現像部材に近づき、前記剥離部材が現像剤を剥離した後には、剥離した現像剤を前記現像部材から隔離するように前記剥離用磁石が前記現像部材から遠ざかるよう前記剥離用磁石の移動を制御する移動制御手段と、を有し、前記剥離部材と現像剤とを隔てる隔壁をさらに有し、前記隔壁は、前記剥離用磁石が前記現像部材に近づいた位置から遠ざかるにつれて前記剥離用磁石に対する距離が大きくなる領域を含むように、前記現像剤収容器の一部として形成されてなり、前記制御手段は、前記剥離部材が現像剤を剥離した後に、剥離した現像剤が前記隔壁に沿って移動するよう前記剥離用磁石の移動を制御する現像器である。
【０００７】
請求項２に係る本発明は、前記現像剤収容器は、前記現像部材の前記像保持体に対向する部分が露出するように開口してなる請求項１記載の現像器である。
【０００８】
請求項３に係る本発明は、前記移動制御手段は、前記現像部材が静電潜像を可視化する場合には、前記現像部材が保持する現像剤に対して前記剥離用磁石の磁力の作用が低下する領域に前記剥離用磁石を退避させるよう制御する請求項１又は２記載の現像器である。
【０００９】
請求項４に係る本発明は、前記現像部材は、軸方向に延びて現像剤を引き付ける磁極及び現像剤を反発させる磁極を外面に備えて固定された現像用磁石と、この現像用磁石を内部に収容して回転し、該現像用磁石の磁力に応じて現像剤を周方向に搬送する円筒状部材と、を有し、前記剥離用磁石は、移動方向下流側から順に配列された現像剤を反発させる磁極と現像剤を引き付ける磁極との組み合わせを１組以上含み、該剥離用磁石と前記現像部材との間に位置する現像剤を前記移動制御手段の制御に応じて反発させた後に引き付けることにより、前記現像部材が保持する現像剤を剥離する請求項１乃至３いずれか記載の現像器である。
【００１０】
請求項５に係る本発明は、前記移動制御手段は、前記現像部材に対して略平行に設けられた回転軸を中心にして回転する方向に、前記剥離用磁石の移動を制御する請求項１乃至４いずれか記載の現像器である。
【００１１】
請求項６に係る本発明は、  前記現像剤収容器から前記現像部材への現像剤の供給を遮断する遮断手段をさらに有し、前記移動制御手段は、前記遮断手段が現像剤の供給を遮断した後に、前記現像部材が保持する現像剤に前記剥離用磁石の磁力が作用するように前記剥離用磁石の移動を制御する請求項１乃至５いずれか記載の現像器である。
【００１５】
請求項７に係る本発明は、現像剤を収容する現像剤収容器と、前記現像剤収容器に収容され、磁力によって保持される現像剤により、像保持体が保持する静電潜像を可視化する現像部材と、前記現像剤収容器の外側に設けられ、前記現像部材が保持する現像剤を磁力によって剥離する剥離用磁石を具備する剥離部材と、この剥離部材が現像剤を剥離する場合には、前記現像部材が保持する現像剤に前記剥離用磁石の磁力が作用するように前記剥離用磁石が前記現像部材に近づき、前記剥離部材が現像剤を剥離した後には、剥離した現像剤を前記現像部材から隔離するように前記剥離用磁石が前記現像部材から遠ざかるよう前記剥離用磁石の移動を制御する移動制御手段と、複数の前記現像剤収容器を配置し、複数の前記現像剤収容器を前記現像部材に対向する位置に移動させるよう回転する回転体と、を有し、前記剥離部材と現像剤とを隔てる隔壁をさらに有し、前記隔壁は、前記剥離用磁石が前記現像部材に近づいた位置から遠ざかるにつれて前記剥離用磁石に対する距離が大きくなる領域を含むように、前記現像剤収容器の一部として形成されてなり、前記制御手段は、前記剥離部材が現像剤を剥離した後に、剥離した現像剤が前記隔壁に沿って移動するよう前記剥離用磁石の移動を制御する現像装置である。
【００１７】
請求項８に係る本発明は、  前記現像剤収容器は、前記現像部材の前記像保持体に対向する部分が露出するように開口してなる請求項７記載の現像装置である。
【００１８】
請求項９に係る本発明は、前記移動制御手段は、前記現像部材が静電潜像を可視化する場合には、前記現像部材が保持する現像剤に対して前記剥離用磁石の磁力の作用が低下する領域に前記剥離用磁石を退避させるよう制御する請求項７又は８記載の現像装置である。
【００１９】
請求項１０に係る本発明は、前記現像部材は、軸方向に延びて現像剤を引き付ける磁極及び現像剤を反発させる磁極を外面に備えて固定された現像用磁石と、この現像用磁石を内部に収容して回転し、該現像用磁石の磁力に応じて現像剤を周方向に搬送する円筒状部材と、を有し、前記剥離用磁石は、移動方向下流側から順に配列された現像剤を反発させる磁極と現像剤を引き付ける磁極との組み合わせを１組以上含み、該剥離用磁石と前記現像部材との間に位置する現像剤を前記移動制御手段の制御に応じて反発させた後に引き付けることにより、前記現像部材が保持する現像剤を剥離する請求項７乃至９いずれか記載の現像装置である。
【００２０】
請求項１１に係る本発明は、前記移動制御手段は、前記現像部材に対して略平行に設けられた回転軸を中心にして回転する方向に、前記剥離用磁石の移動を制御する請求項７乃至１０いずれか記載の現像装置である。
【００２１】
請求項１２に係る本発明は、複数の前記現像剤収容器から前記現像部材への現像剤の供給を遮断する遮断手段をさらに有し、前記移動制御手段は、前記遮断手段が現像剤の供給を遮断した後に、前記現像部材が保持する現像剤に前記剥離用磁石の磁力が作用するように前記剥離用磁石の移動を制御する請求項７乃至１１いずれか記載の現像装置である。
【００２７】
請求項１３に係る本発明は、像保持体と、現像剤を収容する現像剤収容器と、前記像保持体が保持する静電潜像を、前記現像剤収容器に収容され、磁力によって保持される現像剤により可視化する現像部材と、前記現像剤収容器の外側に設けられ、前記現像部材が保持する現像剤を磁力によって剥離する剥離用磁石を具備する剥離部材と、この剥離部材が現像剤を剥離する場合には、前記現像部材が保持する現像剤に前記剥離用磁石の磁力が作用するように前記剥離用磁石が前記現像部材に近づき、前記剥離部材が現像剤を剥離した後には、剥離した現像剤を前記現像部材から隔離するように前記剥離用磁石が前記現像部材から遠ざかるよう前記剥離用磁石の移動を制御する移動制御手段と、を有し、前記剥離部材と現像剤とを隔てる隔壁をさらに有し、前記隔壁は、前記剥離用磁石が前記現像部材に近づいた位置から遠ざかるにつれて前記剥離用磁石に対する距離が大きくなる領域を含むように、前記現像剤収容器の一部として形成されてなり、前記制御手段は、前記剥離部材が現像剤を剥離した後に、剥離した現像剤が前記隔壁に沿って移動するよう前記剥離用磁石の移動を制御する画像形成装置である。
【００２８】
請求項１４に係る本発明は、像保持体と、現像剤を収容する現像剤収容器と、前記像保持体が保持する静電潜像を、前記現像剤収容器に収容され、磁力によって保持される現像剤により可視化する現像部材と、前記現像剤収容器の外側に設けられ、前記現像部材が保持する現像剤を磁力によって剥離する剥離用磁石を具備する剥離部材と、この剥離部材が現像剤を剥離する場合には、前記現像部材が保持する現像剤に前記剥離用磁石の磁力が作用するように前記剥離用磁石が前記現像部材に近づき、前記剥離部材が現像剤を剥離した後には、剥離した現像剤を前記現像部材から隔離するように前記剥離用磁石が前記現像部材から遠ざかるよう前記剥離用磁石の移動を制御する移動制御手段と、複数の前記現像剤収容器を配置し、複数の前記現像剤収容器を前記現像部材に対向する位置に移動させるよう回転する回転体と、を有し、前記剥離部材と現像剤とを隔てる隔壁をさらに有し、
前記隔壁は、前記剥離用磁石が前記現像部材に近づいた位置から遠ざかるにつれて前記剥離用磁石に対する距離が大きくなる領域を含むように、前記現像剤収容器の一部として形成されてなり、前記制御手段は、前記剥離部材が現像剤を剥離した後に、剥離した現像剤が前記隔壁に沿って移動するよう前記剥離用磁石の移動を制御する画像形成装置である。
【発明の効果】
【００２９】
請求項１に係る本発明によれば、本構成を有していない場合に比較して、現像部材から現像剤を剥離させた後に現像部材に付着、残留する現像剤を剥離することができる。加えて、剥離部材と現像剤とを隔てる隔壁を有しない場合に比較して、剥離部材に現像剤が付着 することを防止することができる。
【００３１】
請求項２に係る本発明によれば、請求項１に係る本発明の効果に加えて、現像部材収容部の他に独立した隔壁を設けることなく、剥離部材に現像剤が付着することを防止することができる。
【００３２】
請求項３に係る本発明によれば、請求項１又は２に係る本発明の効果に加えて、現像部材が静電潜像を可視化する場合に、現像部材が保持する現像剤に 対して剥離部材の磁力が作用することを低減し、現像部材と壁面で現像剤の固着が発生することを防止できる。
【００３３】
請求項４に係る本発明によれば、請求項１乃至３いずれかに係る本発明の効果に加えて、剥離部材が移動方向下流側から順に配列された現像剤を反発させる磁極 と現像剤を引き付ける磁極との組み合わせを含まない場合に比較して、一度の磁石の移動で、現像剤を引き寄せる磁界を複数回形成することができる。
【００３４】
請求項５に係る本発明によれば、請求項１乃至４いずれかに係る本発明の効果に加えて、移動制御手段が現像部材に対して略平行に設けられた回転軸を中心にして回転する方向に磁石の移動を制御しない場合に比較して、構成を簡易にすることができ、剥離部材を配置する空間を小さくすることができる。
【００３５】
請求項６に係る本発明によれば、請求項１乃至５いずれかに係る本発明の効果に加えて、遮断手段が現像剤の供給を遮断した後に、現像部材が保持する現像剤に剥離部材の磁力が作用するように移動制御手段が磁石の移動を制御しない場合に比較して、現像部材から現像剤を剥離する時間を早めることができる。
【００３９】
請求項７に係る本発明によれば、本構成を有していない場合に比較して、現像部材に残存する現像剤が次工程の色の現像器内に流入し混色することを抑制することができる。加えて、剥離部材と現像剤とを隔てる隔壁を有しない場合に比較して、剥離部材に現像剤が付着することを防止することができる。
【００４１】
請求項８に係る本発明によれば、請求項７に係る本発明の効果に加えて、現像部材収容部の他に独立した隔壁を設けることなく、剥離部材に現像剤が付着することを防止することができる。
【００４２】
請求項９に係る本発明によれば、請求項７又は８に係る本発明の効果に加えて、現像部材が静電潜像を可視化する場合に、現像部材が保持する現 像剤に対して剥離部材の磁力が作用することを低減し、現像部材と壁面で現像剤の固着が発生することを防止できる。
【００４３】
請求項１０に係る本発明によれば、請求項７乃至９いずれかに係る本発明の効果に加えて、剥離部材が移動方向下流側から順に配列された現像剤を反発させる磁極と現像剤を引き付ける磁極との組み合わせを含まない場合に比較して、一度の磁石の移動で、現像剤を引き寄せる磁界を複数回形成することができる。
【００４４】
請求項１１に係る本発明によれば、請求項７乃至１０いずれかに係る本発明の効果に加えて、移動制御手段が現像部材に対して略平行に設けられた回転軸を中 心にして回転する方向に磁石の移動を制御しない場合に比較して、構成を簡易にすることができ、剥離部材を配置する空間を小さくすることができる。
【００４５】
請求項１２に係る本発明によれば、請求項７乃至１１いずれかに係る本発明の効果に加えて、遮断手段が現像剤の供給を遮断した後に、現像部材が保持する現 像剤に剥離部材の磁力が作用するように移動制御手段が磁石の移動を制御しない場合に比較して、現像部材から現像剤を剥離する時間を早めることができる。
【００５１】
請求項１３に係る本発明によれば、本構成を有していない場合に比較して、現像部材から現像剤を剥離させた後に現像部材に付着、残留する現像剤を剥離することができる。加えて、剥離部材と現像剤とを隔てる隔壁を有しない場合に比較して、剥離部材に現像剤が付着することを防止することができる。
【００５２】
請求項１４に係る本発明によれば、本構成を有していない場合に比較して、現像部材から現像剤を剥離させた後に現像部材に付着、残留する現像剤を剥離することができ、現像部材による現像剤の混色を防止することができる。加えて、剥離部材と現像剤とを隔てる隔壁を有しない場合に比較して、剥離部材に現像剤が付着することを防止することができる。
【発明を実施するための最良の形態】
【００５３】
次に本発明の第１の実施形態を図面に基づいて説明する。
図１において、本発明の第１の実施形態に係る画像形成装置１０の概要が示されている。画像形成装置１０は、画像形成装置本体１２を有し、この画像形成装置本体１２の背面側（図１において右側）に例えば１段の給紙ユニット１４が配置されている。
【００５４】
給紙ユニット１４は、用紙が収容される給紙カセット１６を有する。給紙カセット１６の上部には、給紙カセット１６から用紙を取り出す取り出しロール１８が配置され、この取り出しロール１８の前方に供給ロール２０及び捌きロール２２が配置されている。
【００５５】
供給ロール２０は、図示しない駆動部によって駆動され、用紙を後述する搬送路２４に向けて供給するように回転する。捌きロール２２は、供給ロール２０に対して圧接され、供給ロール２０の回転に応じて回転可能にされており、供給ロール２０とともに用紙を１枚ずつ後述する搬送路２４に向けて供給するように回転する。
【００５６】
搬送路２４は、供給ロール２０から排出口２６までの用紙通路であり、この搬送路２４は、画像形成装置本体１２の上部にあって、給紙ユニット１４から排出口２６まで略水平に形成されている。この搬送路２４の定着装置２８の上流側に後述する二次転写ロール６０と二次転写バックアップロール５４とが配置され、二次転写ロール６０と二次転写バックアップロール５４の上流側にレジストロール３０が配置されている。また、搬送路２４の排出口２６の近傍には排出ロール３２が配置されている。
【００５７】
したがって、給紙ユニット１４の給紙カセット１６から取り出しロール１８により取り出された用紙は、供給ロール２０及び捌きロール２２により捌かれて最上部の用紙のみ搬送路２４に導かれ、レジストロール３０により一時停止され、タイミングをとって後述する二次転写ロール６０と二次転写バックアップロール５４との間を通って現像剤像が転写され、この転写された現像剤像が定着装置２８により定着され、排出ロール３２により排出口２６から排出される。
【００５８】
画像形成装置本体１２には、例えば略中央部に現像装置３４が配置されている。現像装置３４は、イエロー（Ｙｅｌｌｏｗ）、マゼンタ（Ｍａｇｅｎｔａ）、シアン（Ｃｙａｎ）及び黒（Ｂｌａｃｋ）の４色の現像剤により、後述する像保持体３６が保持する静電潜像を可視化する。
【００５９】
現像装置３４には、例えば感光体からなる像保持体３６が画像形成装置１０の正面側上方から当接するように配置されている。像保持体３６の背面側には、該像保持体３６を一様帯電する例えば帯電ロールからなる帯電装置３８が設けられている。つまり像保持体３６には、現像バイアスがかけられている。また、像保持体３６には、該像保持体３６の回転方向の帯電装置３８よりも上流側に像保持体用クリーナ４０が当接している。像保持体用クリーナ４０は、例えば一次転写後に像保持体３６に残留する現像剤を掻き取る。
【００６０】
現像装置３４の上方には、帯電装置３８により帯電された像保持体３６に、レーザ光などの光線により潜像を書き込む露光装置４２が配置されている。また、像保持体３６の正面側には、現像装置３４によって可視化された現像剤像を一次転写位置で一次転写され、後述する二次転写位置まで搬送する中間転写装置４４が設けられている。
【００６１】
中間転写装置４４は、例えば中間転写ベルトなどの中間転写体４６、一次転写ロール４８、支持ロール５０，５２、二次転写位置で二次転写ロール６０に対向し、中間転写体４６を支持する二次転写バックアップロール５４、テンションロール５６，５８から構成される。中間転写体４６は、一次転写ロール４８の上流に配置された支持ロール５０と、一次転写ロール４８の下流に配置された支持ロール５２との間で像保持体３６にラップ状に当接する一次転写部を有し、像保持体３６に所定の範囲だけ巻きついて、像保持体３６の回転に従って回転する。テンションロール５６，５８は、中間転写体４６に所定の張力を与えている。そして、中間転写体４６は、一次転写ロール４８によって像保持体３６上の現像剤像を例えばイエロー、マゼンタ、シアン、黒の順に重ねて一次転写され、この一次転写された現像剤像を後述する二次転写ロール６０に向けて搬送する。
【００６２】
中間転写装置４４の二次転写バックアップロール５４には、搬送路２４を挟んで二次転写ロール６０が配置されている。つまり、二次転写ロール６０と二次転写バックアップロール５４との間が二次転写位置となっており、二次転写ロール６０は、二次転写バックアップロール５４の補助により、中間転写体４６に一次転写された現像剤像を二次転写位置で用紙に二次転写する。ここで、二次転写ロール６０は、中間転写体４６が３回転する間、すなわちイエロー、マゼンタ、シアンの３色の現像剤像を搬送する間は中間転写体４６から離間しており、黒の現像剤像が転写されると中間転写体４６に当接するようにされている。なお、二次転写ロール６０と二次転写バックアップロール５４との間には、所定の電位差が生じるようにされており、例えば二次転写ロール６０を高電圧にした場合には、二次転写バックアップロール５４はグランド（ＧＮＤ）などに接続される。
【００６３】
搬送路２４の二次転写位置の下流には、定着装置２８が配置されている。定着装置２８は、加熱ロールと加圧ロールとを有し、二次転写ロール６０及び二次転写バックアップロール５４により用紙に二次転写された現像剤像を用紙に定着させ、排出ロール３２に向けて搬送する。
【００６４】
また、画像形成装置１０の内部には、画像形成装置１０を構成する各部を制御する制御部（移動制御手段を含む）６２が設けられている。
【００６５】
次に現像装置３４について詳述する。
図２において、現像装置３４の第１の実施例が示されている。現像装置３４は、現像装置本体６６、現像ロール６８、層厚規制部材７０、遮断部材７２、現像ロール収容壁７４及び剥離部材７６を有する。
【００６６】
現像装置本体（回転体）６６は、イエロー（Ｙｅｌｌｏｗ）、マゼンタ（Ｍａｇｅｎｔａ）、シアン（Ｃｙａｎ）及び黒（Ｂｌａｃｋ）の現像剤をそれぞれ収容する現像剤収容器８０ａ〜８０ｄが着脱自在に設けられており、回転軸８２を中心として例えば反時計回り（図２において左回り）に回転可能にされ、現像剤収容器８０ａ〜８０ｄが順次に現像ロール６８に対向する位置に移動するようにされている。現像剤収容器８０ａ〜８０ｄは、それぞれ収容器本体８４ａ〜８４ｄ、第１の攪拌搬送部材８６ａ〜８６ｄ、第２の攪拌搬送部材８８ａ〜８８ｄを有し、収容器本体８４ａ〜８４ｄに上述した４色の現像剤を収容する現像剤カートリッジ（図示せず）がそれぞれ装着されている。また、現像剤収容器８０ａ〜８０ｄは、現像ロール６８に供給する現像剤、及び現像後に現像ロール６８から剥離した（回収した）現像剤を収容する。
なお、現像剤収容器８０ａ〜８０ｄが収容している現像剤は、例えば非磁性トナー及び磁性キャリアを有する２成分現像剤であり、第１の攪拌搬送部材８６及び第２の攪拌搬送部材８８によって攪拌されることにより、磁性キャリアの周囲に非磁性トナーが付着するようにされている。
以下、現像剤収容器８０ａ〜８０ｄなど複数ある構成部分のいずれかを特定せずに示す場合には、単に「現像剤収容器８０」などと略記することがある。
【００６７】
第１の攪拌搬送部材８６は、現像剤カートリッジ（図示せず）から供給される現像剤を第２の攪拌搬送部材８８へ搬送する。第２の攪拌搬送部材８８は、現像剤を攪拌するとともに、現像装置本体６６が回転することによって収容器本体８４の開口部が現像ロール６８に対向する位置へ移動した場合に現像剤を現像ロール６８に供給する。
【００６８】
現像ロール６８は、軸方向に延びて現像剤を引き付ける磁極（例えばＮ極）及び現像剤を反発させる磁極（例えば連続する２つのＳ極）を外面に複数備えて固定された磁石部材９０と、この磁石部材９０を内部に収容して回転し、該磁石部材９０の磁力に応じて現像剤を周方向に搬送するスリーブなどの円筒状部材９２とを有する。磁石部材９０には、現像剤収容器８０から現像剤を引き付けるＮ極が現像剤収容器８０側上部などに配置され、現像剤を反発させるＳ極が像保持体３６側と現像剤収容器８０側下部（ピックオフ位置）などに配置されている。また、現像ロール６８は、像保持体３６に対向する部分が露出するように開口された現像ロール収容壁７４内に収容されており、像保持体３６との間に所定の隙間を形成しつつ、磁力によって保持したそれぞれの色の現像剤で像保持体３６上の静電潜像を可視化する。
【００６９】
層厚規制部材７０は、現像ロール６８の表面に付着した（現像ロール６８が保持した）現像剤の層厚を規制する。遮断部材７２は、制御部６２の制御に応じて移動し、現像剤収容器８０から現像ロール６８への現像剤の供給を遮断する。なお、第２の攪拌搬送部材８８の回転を停止させることでも、現像ロール６８への現像剤の供給を遮断できる。
【００７０】
剥離部材７６は、現像ロール６８に対して略平行に設けられた回転軸９４と、制御部６２の制御により回転軸９４を中心にして時計回り（図２において右回り）に回転する例えば希土類の磁石９６とを有し、現像ロール６８が保持する現像剤を磁力によって（例えばＮ極により引き付けて）剥離し、現像剤収容器８０へと導く。
【００７１】
現像装置においては、さまざまな目的のため、現像ロール６８上の現像剤を可能な限り剥離させる必要が生じる。例えば、現像剤を交換する場合、現像ロール６８及び現像剤収容器８０内の現像剤を可能な限り、取り除く必要がある。また、複数色のトナーを用いて単一の現像ロール６８で現像を行う場合、現在の色の現像剤を現像ロール６８から取り除いた後に、次の色の現像剤を現像ロール６８に供給する必要がある。
【００７２】
図２において、本発明の一例が有する剥離部材が設けられていない場合、内部に磁極を有する現像ロールでは、現像剤の剥離は、前述の現像剤を反発させる磁極（剥離極：例えば図２の連続する２つのＳ極）によって剥離するものであるが、現像ロール上の現像剤量が減少すると、剥離のための現像剤の流れが抑制されるため、剥離極に残存する現像剤が発生する。
【００７３】
図３は、現像ロール６８に残存する現像剤（剥離位置周辺の現像剤を含む）を磁石９６が剥離する状態を示す拡大図である。図３（Ａ）に示すように、現像ロール６８の下方に現像ロール収容壁７４を介して配設される剥離部材７６が回転して磁石９６が現像ロール６８に近づくと、磁石９６は現像剤を現像ロール収容壁７４の下部側に引き付ける。また、図３（Ｂ）に示すように、剥離部材７６が回転して磁石９６が現像ロール６８から離れ始めると、現像剤は磁石９６の磁力によって現像ロール６８から剥離される。また、図３（Ｃ）に示すように、剥離部材７６がさらに回転して磁石９６が現像ロール６８からさらに離れると、現像剤は磁石９６の磁力によって引き付けられつつ、現像ロール収容壁７４に沿って下方に移動し、上記磁力が及ばなくなる領域で更に下方に落下する。
ここで、現像ロール収容壁７４は、剥離部材７６と現像剤とを隔てる隔壁となっており、磁石９６が現像ロール６８に近づいた位置から遠ざかるにつれて、現像ロール６８及び磁石９６それぞれに対する距離が大きくなる領域を有するように形成されている。
【００７４】
このように、磁石９６は、剥離部材７６が現像剤を剥離する場合には、現像ロール６８が保持する現像剤に磁石９６の磁力が作用するように磁石９６が現像ロール６８側に近づき、剥離部材７６が現像剤を剥離した後には、剥離した現像剤を現像ロール６８から隔離するように磁石９６が現像ロール６８から遠ざかるよう回転移動（図３において右回り）する。
なお、制御部６２は、現像ロール６８が静電潜像を可視化する場合には、現像ロール６８が保持する現像剤に対して磁石９６の磁力の作用が低下する位置（現像ロール６８の反対側）に磁石９６を停止させる。そして、制御部６２は、遮断部材７２が現像剤の供給を遮断した後に、現像ロール６８が保持する現像剤に磁石９６の磁力が作用するように磁石９６を回転移動させる。
【００７５】
次に本発明の第１の実施形態の作用について説明する。
画像形成信号が送られると、像保持体３６が帯電装置３８により一様に帯電され、この帯電された像保持体３６には、画像信号に基づいて露光装置４２から光線が出射される。露光装置４２からの光線は、像保持体３６の表面を露光し、静電潜像が形成される。
【００７６】
像保持体３６に保持された静電潜像は、現像剤の色ごとに現像装置３４により現像され、中間転写体４６に一次転写される。そして、中間転写体４６上で各色の現像剤像が重ね合わされて、カラー画像が形成される。
ここで、現像ロール６８には、現像剤収容器８０ａ〜８０ｄからイエロー、マゼンタ、シアン及び黒の現像剤がそれぞれ供給される。そして、現像ロール６８に過剰に供給された現像剤は、現像ロール６８に次の色の現像剤が供給される前に同じ色の現像剤収容器８０に回収される。一次転写において、像保持体３６に残留する廃現像剤は、像保持体用クリーナ４０によって掻き取られ、回収される。
【００７７】
一方、給紙信号等により、給紙カセット１６に収容された用紙は、取り出しロール１８により取り出され、供給ロール２０及び捌きロール２２により捌かれて最上部の用紙のみ搬送路２４に導かれ、レジストロール３０により一次停止され、タイミングをとって二次転写ロール６０と二次転写バックアップロール５４との間に導かれる。用紙が二次転写ロール６０と二次転写バックアップロール５４との間に導かれると、中間転写体４６に一次転写されている現像剤像が二次転写ロール６０と二次転写バックアップロール５４とによって用紙に二次転写される。
【００７８】
現像剤像を転写された用紙は、定着装置２８に導かれ、加熱ロールと加圧ロールとによって現像剤像を定着される。現像剤像が定着した用紙は、排出ロール３２により排出口２６から排出される。
【００７９】
なお、画像形成装置１０は、例えばモノクロ画像のみを形成するものであってもよく、例えば、現像装置３４が、１つの現像剤収容器８０、現像ロール６８、層厚規制部材７０、遮断部材７２、現像ロール収容壁７４及び剥離部材７６を具備し、１色の現像剤で静電潜像を可視化する現像器として構成されてもよい。
【００８０】
次に磁石９６の変形例について説明する。
図４は、磁石９６の変形例及びその周辺を示す拡大図である。図４に示すように、磁石９６は、例えば移動方向下流側から順に配列された、現像ロール６８のＳ極との間に形成される磁界によって現像剤を反発させる磁極（Ｓ極）と現像剤を引き付ける磁極（Ｎ極）との組み合わせを２組有するように構成されてもよい。このように、磁石９６が移動方向下流側から現像剤を反発させる磁極と現像剤を引き付ける磁極とを２組有する場合、剥離部材７６が制御部６２の制御に応じて時計回り（図４において右回り）に回転すると、磁石９６は、剥離部材７６と現像ロール６８との間に位置する現像剤を現像剤収容器８０側へ反発させた後に、現像ロール６８が保持して剥離部材７６の回転方向上流側に残る現像剤を引き付けて現像ロール６８から剥離し、現像剤収容器８０側へ導くことを２回繰り返す。
【００８１】
次に現像装置の第２の実施例について説明する。
図５は、現像装置の第２の実施例（現像装置１００）の構成を示す側面図である。なお、図５に示した現像装置１００は、４つの現像剤収容器を備えた現像装置の１つの現像剤収容容器から現像ロールへ現像剤を供給する部分とすることも、１色の現像剤で静電潜像を可視化する現像器とすることも可能である。
また、現像装置１００において、図２に示した現像装置３４を構成する部分と実質的に同一のものには、同一の符号が付してある。
【００８２】
現像装置１００は、現像剤収容器８０、現像ロール６８、層厚規制部材７０、遮断部材７２、現像ロール収容壁７４及び磁石１０２を有する。磁石１０２は、現像ロール６８の下方において現像剤収容器８０内に固定され、現像剤を磁力によって引き付ける。現像装置１００において、現像剤収容器８０は、制御部６２の制御によって磁石１０２が現像ロール６８に近づき又は離れるように、現像ロール収容壁７４に対して移動するようにされている。
なお、磁石１０２は、現像ロール６８から現像剤を剥離する剥離部材を他の部材とともに構成するようにされてもよい。
【００８３】
現像装置１００は、図５（Ａ）に示すように、現像剤収容器８０から現像ロール６８へ現像剤を供給する場合、磁石１０２が現像ロール６８から離れるように現像剤収容器８０が下方（図５において下側）に位置する。また、現像装置１００は、図５（Ｂ）に示すように、磁石１０２が現像ロール６８から現像剤の剥離を開始する場合、遮断部材７２が現像剤収容器８０から現像ロール６８への現像剤の供給を遮断した後に、磁石１０２が現像ロール６８に近づくように現像剤収容器８０が上方（図５において上側）に移動する。そして、現像装置１００は、図５（Ｃ）に示すように、遮断部材７２が現像剤収容器８０から現像ロール６８への現像剤の供給を遮断した状態で、現像剤収容器８０が下方に移動することにより、現像ロール６８が保持する現像剤を磁石１０２が剥離する。
【００８４】
なお、現像装置１００は、例えば４つの現像剤収容器を備えて回転する現像装置の１つの現像剤収容容器から現像ロールへ現像剤を供給した場合、磁石１０２が引き付けた現像剤の一部を、現像装置の回転による遠心力又は自由落下などによって磁石１０２から剥離するようにされてもよい。
また、現像装置１００は、例えば第２の攪拌搬送部材８８が着磁された部材とされることにより、磁石１０２が引き付けた現像剤を磁石１０２から剥離するようにされてもよい。
【００８５】
次に現像装置の第３の実施例について説明する。
図６は、現像装置の第３の実施例（現像装置１０４）の構成を示す側面図である。なお、図６に示した現像装置１０４は、４つの現像剤収容器を備えた現像装置の１つの現像剤収容容器から現像ロールへ現像剤を供給する部分とすることも、１色の現像剤で静電潜像を可視化する現像器とすることも可能である。
また、現像装置１０４において、図５に示した現像装置１００を構成する部分と実質的に同一のものには、同一の符号が付してある。
【００８６】
現像装置１０４は、現像剤収容器８０、現像ロール６８、層厚規制部材７０、遮断部材７２、現像ロール収容壁７４、磁石１０２及び再剥離部材１０６を有する。再剥離部材１０６は、磁石１０２とともに上下方向に移動可能にされ、且つ磁石１０２の上面に沿って左右方向に移動可能にされており、磁石１０２の上面部に引き付けられた現像剤を掻き取るようにされている。
【００８７】
現像装置１０４は、図６（Ａ）に示すように、現像剤収容器８０から現像ロール６８へ現像剤を供給する場合、磁石１０２が再剥離部材１０６とともに現像ロール６８から離れるように現像剤収容器８０が下方（図６において下側）に位置する。また、現像装置１０４は、図６（Ｂ）に示すように、磁石１０２が現像ロール６８から現像剤の剥離を開始する場合、遮断部材７２が現像剤収容器８０から現像ロール６８への現像剤の供給を遮断した後に、磁石１０２が再剥離部材１０６とともに現像ロール６８に近づくように現像剤収容器８０が上方（図６において上側）に移動する。そして、現像装置１０４は、図６（Ｃ）に示すように、遮断部材７２が現像剤収容器８０から現像ロール６８への現像剤の供給を遮断した状態で、現像剤収容器８０が下方に移動することにより、現像ロール６８が保持する現像剤を磁石１０２が剥離し、磁石１０２に引き付けられた現像剤を再剥離部材１０６が掻き取って現像剤収容器８０内に回収する。
【００８８】
次に現像装置の第４の実施例について説明する。
図７乃至図９において、現像装置の第４の実施例（現像装置１１０）が示されている。なお、図７乃至図９に示した現像装置１１０において、図２に示した現像装置３４及び図５に示した現像装置１００を構成する部分と実質的に同一のものには、同一の符号が付してある。
【００８９】
現像装置１１０は、現像装置本体６６、現像ロール６８、層厚規制部材７０、遮断部材７２、現像ロール収容壁７４を有する。現像装置本体６６に設けられた現像剤収容器８０ａ〜８０ｄには、それぞれ磁石１０２が設けられている。また、現像装置本体６６には、現像剤収容器８０ａ〜８０ｄが現像ロール６８に対向する位置で開口する開口部を、現像剤収容器８０ａ〜８０ｄがその他の位置に移動した場合に閉じるための開閉部材１１２ａ〜１１２ｄが設けられている。開閉部材１１２は、現像剤収容器８０が現像ロール６８に対向する位置から移動する場合に現像剤収容器８０の開口部を閉じるとともに、磁石１０２の上面部に引き付けられた現像剤を掻き取って現像剤収容器８０内に回収するようにされている。
なお、開閉部材１１２ａ〜１１２ｄは、現像剤収容器８０ａ〜８０ｄにそれぞれ設けられてもよい。
【００９０】
現像装置１１０は、図７に示すように、現像剤収容器８０から現像ロール６８へ現像剤を供給する場合、開閉部材１１２が開かれて、磁石１０２が現像ロール６８から離れた状態で現像ロール６８が像保持体３６に近づくように、現像剤収容器８０が現像装置本体６６から上方へ移動する。また、現像装置１１０は、図８に示すように、磁石１０２が現像ロール６８から現像剤の剥離を開始する場合、遮断部材７２が現像剤収容器８０から現像ロール６８への現像剤の供給を遮断した後に、磁石１０２がさらに現像ロール６８に近づくように現像剤収容器８０が上方（図８において上側）に移動する。そして、現像装置１１０は、図９に示すように、遮断部材７２が現像剤収容器８０から現像ロール６８への現像剤の供給を遮断した状態で、現像剤収容器８０が下方の現像装置本体６６内へ移動することにより、現像ロール６８が保持する現像剤を磁石１０２が剥離し、磁石１０２に引き付けられた現像剤を開閉部材１１２が掻き取って現像剤収容器８０内に回収する。
【００９１】
次に現像装置の第５の実施例について説明する。
図１０は、現像装置の第５の実施例（現像装置１１４）の構成を示す側面図である。なお、図１０に示した現像装置１１４は、４つの現像剤収容器を備えた現像装置の１つの現像剤収容容器から現像ロールへ現像剤を供給する部分とすることも、１色の現像剤で静電潜像を可視化する現像器とすることも可能である。
また、現像装置１１４において、図５に示した現像装置１００を構成する部分と実質的に同一のものには、同一の符号が付してある。
【００９２】
現像装置１１４は、現像剤収容器８０、現像ロール６８、層厚規制部材７０、遮断部材７２、現像ロール収容壁７４及び磁石１１６を有する。磁石１１６は、制御部６２の制御によって現像剤収容器８０内で現像ロール６８に近づき又は離れるように移動可能にされ、現像剤を磁力によって引き付ける。現像装置１１４においては、現像剤収容器８０は、現像ロール収容壁７４に対して固定されている。
なお、磁石１１６は、現像ロール６８から現像剤を剥離する剥離部材を他の部材とともに構成するようにされてもよい。
【００９３】
現像装置１１４は、図１０（Ａ）に示すように、現像剤収容器８０から現像ロール６８へ現像剤を供給する場合、磁石１１６が現像ロール６８から離れるように現像剤収容器８０内で下方（図１０において下側）に位置する。また、現像装置１１４は、図１０（Ｂ）に示すように、磁石１１６が現像ロール６８から現像剤の剥離を開始する場合、遮断部材７２が現像剤収容器８０から現像ロール６８への現像剤の供給を遮断した後に、磁石１１６が現像ロール６８に近づくように現像剤収容器８０内で上方（図１０において上側）に移動する。そして、現像装置１１４は、図１０（Ｃ）に示すように、遮断部材７２が現像剤収容器８０から現像ロール６８への現像剤の供給を遮断した状態で、磁石１１６が下方に移動することにより、現像ロール６８が保持する現像剤を磁石１１６が剥離する。
【００９４】
次に現像装置の第６の実施例について説明する。
図１１は、現像装置の第６の実施例（現像装置１１８）の構成を示す側面図である。なお、図１１に示した現像装置１１８は、４つの現像剤収容器を備えた現像装置の１つの現像剤収容容器から現像ロールへ現像剤を供給する部分とすることも、１色の現像剤で静電潜像を可視化する現像器とすることも可能である。
また、現像装置１１８において、図１０に示した現像装置１１４を構成する部分と実質的に同一のものには、同一の符号が付してある。
【００９５】
現像装置１１８は、現像剤収容器８０、現像ロール６８、層厚規制部材７０、遮断部材７２、現像ロール収容壁７４、磁石１１６及び再剥離部材１２０を有する。再剥離部材１２０は、磁石１１６とともに上下方向に移動可能にされ、且つ磁石１１６の上面に沿って左右方向に移動可能にされており、磁石１１６の上面部に引き付けられた現像剤を掻き取るようにされている。
【００９６】
現像装置１１８は、図１１（Ａ）に示すように、現像剤収容器８０から現像ロール６８へ現像剤を供給する場合、磁石１１６が再剥離部材１２０とともに現像ロール６８から離れるように現像剤収容器８０内で下方（図１１において下側）に位置する。また、現像装置１１８は、図１１（Ｂ）に示すように、磁石１１６が現像ロール６８から現像剤の剥離を開始する場合、遮断部材７２が現像剤収容器８０から現像ロール６８への現像剤の供給を遮断した後に、磁石１１６が再剥離部材１２０とともに現像ロール６８に近づくように現像剤収容器８０内で上方（図１１において上側）に移動する。そして、現像装置１１８は、図１１（Ｃ）に示すように、遮断部材７２が現像剤収容器８０から現像ロール６８への現像剤の供給を遮断した状態で、磁石１１６が下方に移動することにより、現像ロール６８が保持する現像剤を磁石１１６が剥離し、磁石１１６に引き付けられた現像剤を再剥離部材１２０が掻き取って現像剤収容器８０内に回収する。
【００９７】
次に現像装置の第７の実施例について説明する。
図１２は、現像装置の第７の実施例（現像装置１２２）の構成を示す側面図である。なお、図１２に示した現像装置１２２は、例えば１色の現像剤で静電潜像を可視化する現像器に適用される。
また、現像装置１２２において、図１０に示した現像装置１１４を構成する部分と実質的に同一のものには、同一の符号が付してある。
【００９８】
現像装置１２２は、現像剤収容器８０、現像ロール６８、層厚規制部材７０、現像ロール収容壁７４及び磁石１２４を有する。磁石１２４は、現像ロール６８が保持する現像剤を磁力によって引き付けるとともに、収容器本体８４の内側上部に滑る状態で接することにより、引き付けた現像剤を再び剥離することが可能になっている。また、現像装置１２２において、現像剤収容器８０は、第２の攪拌搬送部材８８が現像ロール６８に近づき又は離れる方向に移動可能にされている。
なお、磁石１２４は、現像ロール６８から現像剤を剥離する剥離部材を他の部材とともに構成するようにされてもよい。
【００９９】
現像装置１２２は、図１２（Ａ）に示すように、現像剤収容器８０から現像ロール６８へ現像剤を供給する場合、磁石１２４が収容器本体８４の内側上部の下方に位置する。また、現像剤収容器８０は、第２の攪拌搬送部材８８が現像ロール６８に近づいた状態で停止している。
【０１００】
また、現像装置１２２は、図１２（Ｂ）に示すように、磁石１２４が現像ロール６８から現像剤の剥離する場合、磁石１２４は、現像ロール６８に近づいて現像ロール６８が保持する現像剤を引き付け、現像剤を引き付けた後に収容器本体８４の内側上部に滑りつつ接することにより、引き付けた現像剤を再び剥離する。つまり、磁石１２４に引き付けられた現像剤は、現像剤収容器８０内に回収される。ここで、現像剤収容器８０は、第２の攪拌搬送部材８８が現像ロール６８から離れる方向に移動した状態で停止している。
【０１０１】
次に本発明の第２の実施形態を図面に基づいて説明する。
図１３において、本発明の第２の実施形態に係る画像形成装置２１０の概要が示されている。画像形成装置２１０は、画像形成装置本体２１２を有し、この画像形成装置本体２１２の下部に例えば１段の給紙ユニット２１４が配置されている。
【０１０２】
給紙ユニット２１４は、用紙が収容される給紙カセット２１６を有する。給紙カセット２１６の上部には、給紙カセット２１６から用紙を取り出す取り出しロール２１８が配置され、この取り出しロール２１８の前方に供給ロール２２０及び捌きロール２２２が配置されている。
【０１０３】
供給ロール２２０は、図示しない駆動部によって駆動され、用紙を後述する搬送路２２４に向けて供給するように回転する。捌きロール２２２は、供給ロール２２０に対して圧接され、供給ロール２２０の回転に応じて回転可能にされており、供給ロール２２０とともに用紙を１枚ずつ後述する搬送路２２４に向けて供給するように回転する。
【０１０４】
搬送路２２４は、供給ロール２２０から排出口２２６までの用紙通路であり、この搬送路２２４は、画像形成装置本体２１２の背面側（図１３において左側）にあって、給紙ユニット２１４から排出口２２６まで略垂直に延びる部分を有する。この搬送路２２４の定着装置２２８の上流側に後述する像保持体２３６と転写ロール２６０とが配置され、像保持体２３６と転写ロール２６０の上流側にレジストロール２３０が配置されている。また、搬送路２２４の排出口２２６の近傍には排出ロール２３２が配置されている。
【０１０５】
したがって、給紙ユニット２１４の給紙カセット２１６から取り出しロール２１８により取り出された用紙は、供給ロール２２０及び捌きロール２２２により捌かれて最上部の用紙のみ搬送路２２４に導かれ、レジストロール２３０により一時停止され、タイミングをとって後述する像保持体２３６と転写ロール２６０との間を通って例えば黒色の現像剤像が転写され、この転写された黒色の現像剤像が定着装置２２８により定着され、排出ロール２３２により排出口２２６から排出される。
【０１０６】
ただし、カラー印刷の場合は、用紙は反復路に３回戻される。即ち、搬送路２２４の排出ロール２３２の手前は二股に分かれ、その分かれた部分に切換装置２４６が設けられていると共に、分けられた部分からレジストロール２３０まで戻る反復路２４８が形成されている。この反復路２４８には搬送ロール２５０，２５２，２５４，２５６が設けられており、カラー印刷の場合には、切換装置２４６が反復路２４８を開く側に切り換えられ、用紙が反復路２４８に導かれ、レジストロール２３０、像保持体２３６と転写ロール２６０との間及び定着装置２２８を合計４回通って排出口２２６から排出されるものである。
【０１０７】
画像形成装置本体１２には、例えば略中央部に現像装置２３４が配置されている。現像装置２３４は、イエロー（Ｙｅｌｌｏｗ）、マゼンタ（Ｍａｇｅｎｔａ）、シアン（Ｃｙａｎ）及び黒（Ｂｌａｃｋ）の４色の現像剤により、後述する像保持体２３６が保持する静電潜像を可視化する。なお、現像装置２３４は、現像装置本体２６６、現像ロール２６８、層厚規制部材２７０、遮断部材２７２、現像ロール収容壁２７４、剥離部材２７６及び現像剤収容器２８０ａ〜２８０ｄなどを含み、図２に示した現像装置３４と実質的に同一の構成を有する。
【０１０８】
現像装置２３４には、例えば感光体からなる像保持体２３６が画像形成装置２１０の背面側上方から当接するように配置されている。像保持体２３６の正面側には、該像保持体２３６を一様帯電する例えば帯電ロールからなる帯電装置２３８が設けられている。つまり像保持体２３６には、現像バイアスがかけられている。また、像保持体２３６には、該像保持体２３６の回転方向の帯電装置２３８よりも上流側に像保持体用クリーナ２４０が当接している。像保持体用クリーナ２４０は、転写後に像保持体２３６に残留する現像剤を掻き取る。
【０１０９】
現像装置２３４の上方には、帯電装置２３８により帯電された像保持体２３６に、レーザ光などの光線により静電潜像を書き込む露光装置２４２が配置されている。また、像保持体２３６の背面側には、現像装置２３４によって可視化された現像剤像を転写位置で用紙に転写する転写ロール２６０が設けられている。
【０１１０】
搬送路２２４の転写位置の下流には、定着装置２２８が配置されている。定着装置２２８は、加熱ロールと加圧ロールとを有し、像保持体２３６と転写ロール２６０により用紙に転写された現像剤像を用紙に定着させて搬送する。
【０１１１】
また、画像形成装置２１０の内部には、画像形成装置２１０を構成する各部を制御する制御部（移動制御手段を含む）２６２が設けられている。
【０１１２】
次に本発明の第２の実施形態の作用（カラー印刷）について説明する。
画像形成信号が送られると、像保持体２３６が帯電装置２３８により一様に帯電され、この帯電された像保持体２３６には、画像信号に基づいて露光装置２４２からイエローの画像に対応する光線が出射される。露光装置２４２からの光線は、像保持体２３６の表面を露光し、静電潜像が形成される。
【０１１３】
像保持体２３６に保持された静電潜像は、現像装置２３４の現像ロール６８に供給されるイエローの現像剤で現像され、給紙ユニット２１４から給紙される用紙に転写される。イエローの現像剤像を転写された用紙は、定着装置２２８に導かれ、加熱ロールと加圧ロールとによって現像剤像を定着される。イエローの現像剤像が定着した用紙は、切換装置２４６によって反復路２４８に戻される。
【０１１４】
現像ロール２６８が保持する（現像ロール２６８に残留する）現像剤は、剥離部材２７６によって剥離され、現像剤収容器２８０ａに回収される。そして、現像装置２３４の現像装置本体２６６が回転することにより、マゼンタの現像剤が現像ロール２６８に供給され、像保持体２３６が帯電装置２３８により一様に帯電され、この帯電された像保持体２３６には、画像信号に基づいて露光装置２４２からマゼンタの画像に対応する光線が出射される。露光装置２４２からの光線は、像保持体２３６の表面を露光し、静電潜像が形成される。
【０１１５】
像保持体２３６に保持された静電潜像は、現像装置２３４の現像ロール２６８に供給されたマゼンタの現像剤で現像され、用紙に転写される。マゼンタの現像剤像を転写された用紙は、定着装置２２８に導かれ、加熱ロールと加圧ロールとによって現像剤像を定着される。マゼンタの現像剤像が定着した用紙は、切換装置２４６によって反復路２４８に戻される。
【０１１６】
用紙が反復路２４８に合計３回戻されることによって、イエロー及びマゼンタの現像剤像と同様に、シアン及び黒の現像剤により現像された現像剤像が定着装置２２８によって用紙に定着されると、用紙上で現像剤像が重ね合わされたカラー画像が形成される。カラー画像が定着した用紙は、切換装置２４６によって排出ロール２３２に導かれて排出される。
【０１１７】
なお、上記実施形態においては、２成分現像剤を用いて静電潜像を可視化する場合を例に説明したが、これに限定されることなく、例えば現像装置３４は、１成分現像剤を用いて静電潜像を可視化するものであってもよい。
【図面の簡単な説明】
【０１１８】
【図１】本発明の第１の実施形態に係る画像形成装置の概要を示す側面図である。
【図２】現像装置の第１の実施例を示す側面図である。
【図３】現像ロールが保持する現像剤を磁石が剥離する状態を示す拡大図である。
【図４】図２に示した磁石の変形例及びその周辺を示す拡大図である。
【図５】現像装置の第２の実施例の構成を示す側面図である。
【図６】現像装置の第３の実施例の構成を示す側面図である。
【図７】現像装置の第４の実施例の現像剤収容器から現像ロールへ現像剤を供給する状態を示す側面図である。
【図８】現像装置の第４の実施例の剥離部材が現像ロールから現像剤の剥離を開始する状態を示す側面図である。
【図９】現像装置の第４の実施例の現像剤収容器が下方の現像装置本体内へ移動した状態を示す側面図である。
【図１０】現像装置の第５の実施例の構成を示す側面図である。
【図１１】現像装置の第６の実施例の構成を示す側面図である。
【図１２】現像装置の第７の実施例の構成を示す側面図である。
【図１３】本発明の第２の実施形態に係る画像形成装置の概要を示す側面図である。
【符号の説明】
【０１１９】
１０，２１０    画像形成装置
１４，２１４    給紙ユニット
２４，２２４    搬送路
２８，２２８    定着装置
３４，１００，１０４，１１０，１１４，１２２，２３４    現像装置
３６，２３６    像保持体
３８，２３８    帯電装置
４２，２４２    露光装置
４４    中間転写装置
５４    二次転写バックアップロール
６０    二次転写ロール
６２，２６２    制御部
６６，２６６    現像装置本体
６８    現像ロール
７０    層厚規制部材
７２    遮断部材
７４    現像ロール収容壁
７６    剥離部材
８０ａ〜８０ｄ    現像剤収容器
８２    回転軸
８４ａ〜８４ｄ    収容器本体
８６ａ〜８６ｄ    第１の攪拌搬送部材
８８ａ〜８８ｄ    第２の攪拌搬送部材
９０    磁石部材
９２    円筒状部材
９４    回転軸
９６    磁石
１０２，１１６，１２４    磁石
１０６    再剥離部材
１１２ａ〜１１２ｄ，１２０    開閉部材
２４６    切換装置
２４８    反復路
２５０，２５２，２５４，２５６    搬送ロール
２６０    転写ロール
２６６    現像装置本体
【図１】
0004565430.tif 000002
【図２】
0004565430.tif 000003
【図３】
0004565430.tif 000004
【図４】
0004565430.tif 000005
【図５】
0004565430.tif 000006
【図６】
0004565430.tif 000007
【図７】
0004565430.tif 000008
【図８】
0004565430.tif 000009
【図９】
0004565430.tif 000010
【図１０】
0004565430.tif 000011
【図１１】
0004565430.tif 000012
【図１２】
0004565430.tif 000013
【図１３】
0004565430.tif 000014